(57)【要約】【課題】医療機関にとっては安価な医薬品を簡便に購入でき、医薬品卸販売企業にとっては効率的な医薬品の販売と新規顧客獲得の機会を期待できるシステムを提供する。【解決手段】  医薬品販売仲介システム１００の管理サーバ２０には、複数の医薬品のそれぞれについて、所定の医薬品卸販売企業での販売価格と医薬品購入用ウェブサイトのＵＲＬとを少なくとも含む複数の医薬品情報が登録されている。管理サーバは、各医薬品毎に各医薬品情報を販売価格の低いものから順にソートして表示する医薬品情報提示用ウェブサイトを提供する。管理サーバは、何れかの医薬品情報が選択された場合、医療機関が具備するクライアントコンピュータ１０を対応する医薬品購入用ウェブサイトにアクセスさせ、クライアントコンピュータによって医薬品の購入手続が実行された場合、その旨を医薬品購入用ウェブサイトから受信する。【選択図】    図１
2006318415.tif 000002
【特許請求の範囲】
【請求項１】
各医療機関が具備するクライアントコンピュータから電気通信回線を介して接続可能な管理サーバを備えたシステムであって、
前記管理サーバには、複数の医薬品のそれぞれについて、所定の医薬品卸販売企業での販売価格と、前記医薬品卸販売企業が提供する医薬品購入用ウェブサイトのＵＲＬとを少なくとも含む複数の医薬品情報が更新可能に登録されており、
前記管理サーバは、
前記登録された複数の医薬品についての複数の医薬品情報に基づき、各医薬品毎に各医薬品情報を販売価格の低いものから順にソートして表示する医薬品情報提示用ウェブサイトを提供し、
前記クライアントコンピュータによって前記医薬品情報提示用ウェブサイトに表示された何れかの医薬品情報が選択された場合、前記クライアントコンピュータを前記選択された医薬品情報に含まれるＵＲＬに対応する医薬品購入用ウェブサイトにアクセスさせ、
前記医薬品購入用ウェブサイトにおいて前記クライアントコンピュータによって医薬品の購入手続が実行された場合、その旨を前記医薬品購入用ウェブサイトから受信することを特徴とする医薬品販売仲介システム。
【請求項２】
前記管理サーバには、各医療機関毎に当該各医療機関で使用される医薬品についての現在在庫量及び適正在庫量が更新可能に登録されており、
前記管理サーバは、
所定の医療機関が具備するクライアントコンピュータから所定の医薬品についての使用量が入力された場合、前記医療機関における前記医薬品について登録されている現在在庫量から前記使用量を減算して新たな現在在庫量として更新登録し、
前記更新登録された現在在庫量が前記医療機関における前記医薬品について登録されている適正在庫量よりも少なくなった場合、前記クライアントコンピュータに対して、前記医薬品情報提示用ウェブサイトにおける前記医薬品についての複数の医薬品情報を表示し、
前記クライアントコンピュータによって選択された医薬品情報に含まれるＵＲＬに対応する医薬品購入用ウェブサイトにおいて前記医薬品の購入手続が実行された場合、前記医薬品の購入量を前記医薬品購入用ウェブサイトから受信し、前記医療機関における前記医薬品について登録されている現在在庫量に前記購入量を加算して新たな現在在庫量として更新登録することを特徴とする請求項１に記載の医薬品販売仲介システム。
【請求項３】
前記管理サーバには、前記医薬品情報が登録された各医薬品を製造する各製薬企業が具備するクライアントコンピュータが電気通信回線を介して接続され、
前記医薬品情報提示用ウェブサイトには、前記各医薬品毎に当該各医薬品についてＭＲのアドバイスを申し込むための申し込みページが設けられており、
前記管理サーバは、所定の医療機関が具備するクライアントコンピュータによって、前記医薬品情報提示用ウェブサイトに表示された何れかの医薬品についてのＭＲのアドバイスが申し込まれた場合、その旨を前記申し込まれた医薬品を製造する製薬企業が具備するクライアントコンピュータに送信することを特徴とする請求項１又は２に記載の医薬品販売仲介システム。
【発明の詳細な説明】
【技術分野】
【０００１】
本発明は、医薬品の購入を所望する医療機関と、医薬品の販売を所望する医薬品卸販売企業との間における医薬品の売買を仲介する医薬品販売仲介システムに関する。
【背景技術】
【０００２】
従来より、医療機関と医薬品卸販売企業との間における医薬品の売買は、医薬品卸販売企業の営業担当者が医療機関に足繁く訪問する等、専ら特定の医療機関に対しての直接的な営業活動によってなされているのが一般的である。
【０００３】
従って、医薬品卸販売企業にとっては、営業担当者を足繁く訪問させる必要がある等の点で非効率的な販売形態である上、医療機関に属する医師等と特定の医薬品卸販売企業の営業担当者との個人的な結び付きが比較的強固になっている等の理由により、新規顧客の開拓が困難であるという問題がある。
【０００４】
また、医療機関にとっても、いったん特定の医薬品卸販売企業との取引が成立した後には、他の医薬品卸販売企業の情報を入手する機会に乏しいこともあって、たとえ医薬品の販売価格が高価であったとしても、そのまま特定の医薬品卸販売企業との取引を継続し続けてしまっている。換言すれば、各医薬品卸販売企業の間で医薬品の販売価格に関する競争原理が十分に機能していないため、安価に医薬品を購入できないという問題がある。このように各医薬品卸販売企業の間で医薬品の販売価格に関する競争原理が十分に機能していないという事態は、医療費の破綻が懸念されている昨今の世情に鑑みれば、医療機関のみの問題に留まらず、やがては国民全体に影響する問題であるといえる。
【０００５】
一方、近年では、インターネットを初めとする電気通信回線の急激な発達により、自社の商品を販売するためのウェブサイト（いわゆる電子ショップ）を開設し、当該ウェブサイトでの電子商取引によって商品を販売する企業が増加している。このようなウェブサイトでの商品の販売は、従来のような顧客訪問を伴う営業活動を必要としない上、地域や時間帯の制約を受けないため、商品販売企業にとって極めて効率が良く且つ新規顧客の開拓が期待できる販売形態であるといえる。また、商品を購入する顧客にとっても、地域や時間帯の制約を受けないという点で、極めて利便性に優れた商品の購入環境が整えられるという利点がある。
【０００６】
従って、医薬品卸販売企業についても、従来のような非効率的な販売形態から脱却すると共に新規顧客を開拓するべく、医薬品を販売するウェブサイトを開設し、当該ウェブサイトでの電子商取引によって医薬品を販売する方法を採用することが考えられる。
【０００７】
しかしながら、医薬品を販売するウェブサイトを開設し、当該ウェブサイトでの電子商取引によって医薬品を販売する方法は、当該ウェブサイトに医薬品の購入を所望する医療機関からのアクセスがあって初めて成立する販売形態である。換言すれば、医療機関からの場当たり的なアクセスを待つしかなく、各医薬品卸販売企業単独でウェブサイトを開設したとしても、現実的には新規顧客獲得の実効性に乏しいという問題がある。
【０００８】
また、各医薬品卸販売企業が医薬品を販売するウェブサイトを開設すれば、コンピュータにある程度精通した人間が属する医療機関にとっては、当該ウェブサイトを利用することにより、医薬品の購入手続が簡便になる等の利点が得られる。
【０００９】
しかしながら、同一の医薬品について各医薬品卸販売企業での販売価格を比較するためには、各医薬品卸販売企業が開設したウェブサイトを検索した上で、順番にアクセスして販売価格を確認する必要があり、極めて手間が掛かるという問題がある。また、各医薬品卸販売企業単独でウェブサイトを開設したのでは、販売価格が直接的に比較された状態で医療機関に視認されるわけではないため、医薬品卸販売企業の間での医薬品の販売価格に関する競争原理が、従来と同様に十分に機能しないという問題がある。
【発明の開示】
【発明が解決しようとする課題】
【００１０】
本発明は、斯かる従来技術の問題を解決するべくなされたものであり、医薬品の購入を所望する医療機関と、医薬品の販売を所望する医薬品卸販売企業との間における医薬品の売買を仲介するシステムであって、医療機関にとっては、安価な医薬品を簡便に購入できる一方、医薬品卸販売企業にとっては、効率的な医薬品の販売を行うことができると共に新規顧客獲得の機会が高まることを期待できる医薬品販売仲介システムを提供することを課題とする。
【課題を解決するための手段】
【００１１】
前記課題を解決するべく、本発明は、特許請求の範囲の請求項１に記載の如く、各医療機関が具備するクライアントコンピュータから電気通信回線を介して接続可能な管理サーバを備えたシステムであって、前記管理サーバには、複数の医薬品のそれぞれについて、所定の医薬品卸販売企業での販売価格と、前記医薬品卸販売企業が提供する医薬品購入用ウェブサイトのＵＲＬとを少なくとも含む複数の医薬品情報が更新可能に登録されており、前記管理サーバは、前記登録された複数の医薬品についての複数の医薬品情報に基づき、各医薬品毎に各医薬品情報を販売価格の低いものから順にソートして表示する医薬品情報提示用ウェブサイトを提供し、前記クライアントコンピュータによって前記医薬品情報提示用ウェブサイトに表示された何れかの医薬品情報が選択された場合、前記クライアントコンピュータを前記選択された医薬品情報に含まれるＵＲＬに対応する医薬品購入用ウェブサイトにアクセスさせ、前記医薬品購入用ウェブサイトにおいて前記クライアントコンピュータによって医薬品の購入手続が実行された場合、その旨を前記医薬品購入用ウェブサイトから受信することを特徴とする医薬品販売仲介システムを提供するものである。
【００１２】
斯かる発明によれば、管理サーバが提供する医薬品情報提示用ウェブサイトが、管理サーバに登録された複数の医薬品についての複数の医薬品情報（所定の医薬品卸販売企業での販売価格と、前記医薬品卸販売企業が提供する医薬品購入用ウェブサイトのＵＲＬとを少なくとも含む）に基づき、各医薬品毎に各医薬品情報を販売価格の低いものから順にソートして表示するように構成されている。従って、医薬品情報を提供する医薬品卸販売企業としては、自社の医薬品情報が少しでも上位に表示されるように販売価格の低減に努める結果、各医薬品卸販売企業間での医薬品の販売価格に関する競争原理が機能し、医薬品の販売価格全体が低減することが期待される。このため、医療機関としては、各医薬品卸販売企業間での医薬品の販売価格に関する競争原理の恩恵を受けることができる上、医薬品情報提示用ウェブサイトを閲覧することにより、各医薬品卸販売企業が販売する同一の医薬品の中から安価な医薬品を選択することが可能である。
【００１３】
また、本発明によれば、医療機関が具備するクライアントコンピュータによって医薬品情報提示用ウェブサイトに表示された何れかの医薬品情報が選択された場合、クライアントコンピュータを選択された医薬品情報に含まれるＵＲＬに対応する医薬品購入用ウェブサイトにアクセスさせるように構成されている。従って、医療機関としては、医薬品購入用ウェブサイトで医薬品の購入手続を実行することにより、所望する医薬品を簡便に購入できることになる。
【００１４】
さらに、本発明によれば、医薬品卸販売企業にとって、従来のような顧客訪問を伴う営業活動を必要としないため、効率的な医薬品の販売を行うことができるという利点が得られる。また、医薬品情報提示用ウェブサイトが、管理サーバに登録された複数の医薬品についての複数の医薬品情報に基づき、各医薬品毎に各医薬品情報を表示する構成であるため、医療機関としては、各医薬品卸販売企業が単独で開設したウェブサイトを検索した上で順番にアクセスして販売価格等を確認するといった必要がなく利便性に優れる。このため、各医薬品卸販売企業が単独で開設するウェブサイトに比べれば、医療機関から医薬品情報提示用ウェブサイトへのアクセス数が高まることが期待でき、ひいては医薬品卸販売企業にとって新規顧客獲得の機会が高まることを期待できる。
【００１５】
以上のように、本発明によれば、医療機関にとっては、安価な医薬品を簡便に購入できる一方、医薬品卸販売企業にとっては、効率的な医薬品の販売を行うことができると共に新規顧客獲得の機会が高まることを期待できる。
【００１６】
なお、管理サーバを特定の仲介業者が管理する場合、当該仲介業者は、たとえば各医薬品卸販売企業の管理サーバへの医薬品情報の登録料によって収益を得ることが可能である。また、本発明によれば、医薬品購入用ウェブサイトにおいて医薬品の購入手続が実行された場合、その旨を管理サーバが医薬品購入用ウェブサイトから受信するように構成されているため、購入手続の実行（売買の成立）がなされたことを仲介業者は知ることができる。従って、医療機関と医薬品卸販売企業との間における医薬品売買の成立に応じた手数料を収益とすることも可能である。
【００１７】
また、本発明における「医療機関」の語句は、医療行為を行う医師が属する病院や医院のみならず、歯科医師が属する歯科医院や薬剤師が属する薬局など、医薬品卸販売企業から医薬品を購入し、患者に対して医薬品を供給する機関を広く含む概念として使用している。
【００１８】
好ましくは、特許請求の範囲の請求項２に記載の如く、前記管理サーバには、各医療機関毎に当該各医療機関で使用される医薬品についての現在在庫量及び適正在庫量が更新可能に登録されており、前記管理サーバは、所定の医療機関が具備するクライアントコンピュータから所定の医薬品についての使用量が入力された場合、前記医療機関における前記医薬品について登録されている現在在庫量から前記使用量を減算して新たな現在在庫量として更新登録し、前記更新登録された現在在庫量が前記医療機関における前記医薬品について登録されている適正在庫量よりも少なくなった場合、前記クライアントコンピュータに対して、前記医薬品情報提示用ウェブサイトにおける前記医薬品についての複数の医薬品情報を表示し、前記クライアントコンピュータによって選択された医薬品情報に含まれるＵＲＬに対応する医薬品購入用ウェブサイトにおいて前記医薬品の購入手続が実行された場合、前記医薬品の購入量を前記医薬品購入用ウェブサイトから受信し、前記医療機関における前記医薬品について登録されている現在在庫量に前記購入量を加算して新たな現在在庫量として更新登録するように構成される。
【００１９】
斯かる好ましい構成によれば、各医療機関で使用される医薬品についての現在在庫量及び適正在庫量が管理サーバによって管理され、所定の医薬品についての現在在庫量が適正在庫量よりも少なくなった場合には、医薬品情報提示用ウェブサイトにおける前記医薬品についての複数の医薬品情報を表示して新たな購入を促すことになる。従って、医療機関にとっては、医薬品の在庫切れを未然に防止することができる一方、医薬品卸販売企業にとっては、医薬品の販売を効果的に促進することができるという利点を有する。
【００２０】
また、好ましくは、特許請求の範囲の請求項３に記載の如く、前記管理サーバには、前記医薬品情報が登録された各医薬品を製造する各製薬企業が具備するクライアントコンピュータが電気通信回線を介して接続され、前記医薬品情報提示用ウェブサイトには、前記各医薬品毎に当該各医薬品についてＭＲのアドバイスを申し込むための申し込みページが設けられており、前記管理サーバは、所定の医療機関が具備するクライアントコンピュータによって、前記医薬品情報提示用ウェブサイトに表示された何れかの医薬品についてのＭＲのアドバイスが申し込まれた場合、その旨を前記申し込まれた医薬品を製造する製薬企業が具備するクライアントコンピュータに送信するように構成される。
【００２１】
斯かる好ましい構成によれば、医薬品情報提示用ウェブサイトに表示された何れかの医薬品についてのＭＲ（Medical Representative：医薬情報担当者）のアドバイスが申し込まれた場合、その旨を前記申し込まれた医薬品を製造する製薬企業が具備するクライアントコンピュータに送信することになる。従って、ＭＲのアドバイスを申し込まれた（アドバイスが申し込まれた旨をクライアントコンピュータで受信した）製薬企業としては、申し込みを行った医療機関に対して自社のＭＲにアドバイスさせることが可能である。これにより、医療機関にとっては、所定の医薬品について購入手続を実行する前に、ＭＲからのアドバイスを受けて当該医薬品についての詳細な情報を入手し、購入可否の判断材料とすることが可能であると共に、医薬品卸販売企業にとっては、医薬品販売に際しての付加価値が得られるという利点を有する。
【発明の効果】
【００２２】
本発明に係る医薬品販売仲介システムによれば、医療機関にとっては、安価な医薬品を簡便に購入できる一方、医薬品卸販売企業にとっては、効率的な医薬品の販売を行うことができると共に新規顧客獲得の機会が高まることを期待できるという優れた効果を奏することが可能である。
【発明を実施するための最良の形態】
【００２３】
以下、添付図面を参照しつつ、本発明の一実施形態に係る医薬品販売仲介システムについて説明する。
【００２４】
図１は、本発明の一実施形態に係る医薬品販売仲介システムの概略構成を示すブロック図である。図１に示すように、本実施形態に係る医薬品販売仲介システム（以下、適宜「仲介システム」と略称する）１００は、各医療機関Ａ〜Ｘが具備するクライアントコンピュータ１０から電気通信回線（インターネットの他、専用回線を利用することも可能である）Ｎを介して接続可能な管理サーバ２０を備えている。なお、本実施形態に係る仲介システム１００は、予め所定の会員登録を済ませた医療機関に対してＩＤ及びパスワードを付与し、クライアントコンピュータ１０で入力したＩＤ及びパスワードが管理サーバ２０で認証されて初めて、後述する医薬品情報を閲覧できるように構成されている。
【００２５】
管理サーバ２０には、複数の医薬品のそれぞれについて、所定の医薬品卸販売企業での販売価格と、前記医薬品卸販売企業が提供する医薬品購入用ウェブサイトのＵＲＬとを少なくとも含む複数の医薬品情報が更新可能に登録されている。より具体的に説明すれば、例えば、医薬品Ａについては、医薬品卸販売企業甲での販売価格と甲が提供する医薬品購入用ウェブサイトのＵＲＬとを少なくとも含む医薬品情報Ａ１、医薬品卸販売企業乙での販売価格と乙が提供する医薬品購入用ウェブサイトのＵＲＬとを少なくとも含む医薬品情報Ａ２が登録され、医薬品Ｂについては、医薬品卸販売企業甲での販売価格と甲が提供する医薬品購入用ウェブサイトのＵＲＬとを少なくとも含む医薬品情報Ｂ１、医薬品卸販売企業丙での販売価格と丙が提供する医薬品購入用ウェブサイトのＵＲＬとを少なくとも含む医薬品情報Ｂ２が登録されているが如くの構成とされている。
【００２６】
なお、これら医薬品についての医薬品情報には、販売価格及び医薬品購入用ウェブサイトのＵＲＬの他、例えば、医薬品の配送条件や代金の支払方法などを含めることが可能である。また、医薬品情報の管理サーバ２０への登録は、例えば、各医薬品卸販売企業から管理サーバ２０を管理する仲介業者に対して登録を所望する医薬品情報を記載した申請用紙を提出し、仲介業者側で前記申請用紙に記載された医薬品情報を管理サーバ２０に入力する方法を採用することができる。また、管理サーバ２０が医薬品情報登録用ウェブサイトを提供するように構成し、各医薬品卸販売企業が具備するクライアントコンピュータから前記医薬品情報登録用ウェブサイトにアクセスして医薬品情報を入力する方法を採用してもよい。なお、本実施形態では、医薬品情報の管理サーバ２０への登録に際し、各医薬品卸販売企業から仲介業者に対して所定の登録料を支払う運用を採用している。
【００２７】
管理サーバ２０は、前記登録された複数の医薬品についての複数の医薬品情報に基づき、各医薬品毎に各医薬品情報を販売価格の低いものから順にソートして表示する医薬品情報提示用ウェブサイトを提供する。図２は、医薬品情報提示用ウェブサイトの表示画面（クライアントコンピュータ１０によって閲覧できる画面）の一例を模式的に示す図であり、図２（ａ）はトップページの例を、図２（ｂ）は所定の医薬品について医薬品情報をソートして表示する医薬品情報表示ページの例を示す。図２（ａ）に示すように、医薬品情報提示用ウェブサイトのトップページでは、「抗不安剤」や「抗てんかん剤」など医薬品のカテゴリーの一覧が表示されており、クライアントコンピュータ１０で何れかのカテゴリーを選択することにより、図２（ｂ）に示すように、選択したカテゴリーに属する医薬品についての医薬品情報が表示される。なお、図２（ｂ）に示す「価格」欄に記載された数値は販売価格を、「店舗ＵＲＬ」欄に記載されたＵＲＬは医薬品卸販売企業が提供する医薬品購入用ウェブサイトのＵＲＬを、「配送条件」欄に記載された内容は購入した医薬品の配送条件を、「支払方法」欄に記載された内容は代金の支払方法を意味する。
【００２８】
図２（ｂ）に示す例では、図２（ａ）に示すトップページにおいて「血圧降下剤」（図２（ａ）には図示せず）を選択することにより、「血圧降下剤」に属する医薬品である「ア○ロジン<<５ｍｇ>>１００Ｔ」及び「ア○ロジン<<５ｍｇ>>２００Ｔ」のそれぞれについて、各医薬品情報が販売価格の低いものから順にソートされて表示されている。より具体的には、「ア○ロジン<<５ｍｇ>>１００Ｔ」については４つの医薬品情報が販売価格の低いものから順に、「ア○ロジン<<５ｍｇ>>２００Ｔ」については２つの医薬品情報が販売価格の低いものから順に、それぞれソートされて表示されている。従って、この医薬品情報表示ページを医療機関が具備するクライアントコンピュータ１０で閲覧することにより、各医薬品卸販売企業が販売する同一の医薬品の中から安価な医薬品を選択することが可能である。なお、本実施形態では、医薬品情報として医薬品の配送条件や代金の支払方法も表示する構成を採用しているため、販売価格のみならず配送条件や支払方法も加味して購入先の医薬品卸販売企業を選択できる点で医療機関にとって好都合である。
【００２９】
管理サーバ２０は、クライアントコンピュータ１０によって前記医薬品情報提示用ウェブサイト（医薬品情報ページ）に表示された何れかの医薬品情報が選択された場合（図２（ｂ）に示す各医薬品情報に対応する選択タグの何れかを選んで、所定の釦（図示せず）をクリックすることにより）、クライアントコンピュータ１０を前記選択された医薬品情報に含まれるＵＲＬに対応する医薬品購入用ウェブサイトにアクセスさせるように構成されている。より具体的に説明すれば、本実施形態では、医薬品購入代金を決済する決済機関（銀行、信販会社等）が運営する決済サーバ３０が電気通信回線Ｎを介して管理サーバ２０に接続されており、当該決済サーバ３０によって各医薬品卸販売企業の医薬品購入用ウェブサイトが提供されている。すなわち、本来であれば各医薬品卸販売企業が提供する医薬品購入ウェブサイトを、決済サーバ３０を運営する決済機関が各医薬品卸販売企業の代行として提供する運用を採用している。斯かる運用方法を採用することにより、医薬品購入用ウェブサイトを構築するスキルを有さない医薬品卸販売企業であっても、容易に本仲介システム１００を利用できるという利点がある。ただし、本発明はこれに限るものではなく、医薬品卸販売企業自体が医薬品購入ウェブサイトを提供する決済サーバを運営することも無論可能である。
【００３０】
上記のようにして、選択された医薬品情報に含まれるＵＲＬに対応する医薬品購入用ウェブサイトにアクセスした後、クライアントコンピュータ１０によって所定の購入手続を実行すれば、所望する医薬品を購入することが可能である。なお、医薬品購入用ウェブサイトにおける決済方法の具体的手順は、公知の決済方法と同様であるため、本明細書ではその具体的な説明を省略する。
【００３１】
そして、本実施形態に係る管理サーバ２０は、前記医薬品購入用ウェブサイトにおいて前ライアントコンピュータ１０によって医薬品の購入手続が実行された場合、その旨を前記医薬品購入用ウェブサイトから受信するように構成されている。より具体的に説明すれば、決済サーバ３０から管理サーバ２０に対して、購入手続が実行された旨を示す電子メール（購入した医薬品及びその価格、購入した医療機関、販売した医薬品卸販売企業等を記載した電子メール）等が送信されると共に、例えば決済機関が受領した購入代金の一部を医薬品売買の成立に応じた手数料として仲介業者に支払う運用が採用されている。
【００３２】
以上に説明したように、本実施形態に係る仲介システム１００によれば、医薬品卸販売企業としては、医薬品情報提示用ウェブサイトの医薬品情報表示ページにおいて、自社の医薬品情報が少しでも上位に表示されるように販売価格の低減に努める結果、各医薬品卸販売企業間での医薬品の販売価格に関する競争原理が機能し、医薬品の販売価格全体が低減することが期待される。このため、医療機関としては、各医薬品卸販売企業間での医薬品の販売価格に関する競争原理の恩恵を受けることができる上、医薬品情報表示ページを閲覧することにより、各医薬品卸販売企業が販売する同一の医薬品の中から安価な医薬品を選択することが可能である。また、医療機関としては、管理サーバ２０を介してアクセスした決済サーバ３０が提供する医薬品購入用ウェブサイトで医薬品の購入手続を実行することにより、所望する医薬品を簡便に購入できることになる。
【００３３】
また、医薬品卸販売企業にとって、従来のような顧客訪問を伴う営業活動を必要としないため、効率的な医薬品の販売を行うことができるという利点が得られる。また、管理サーバ２０の提供する医薬品情報提示用ウェブサイトが、管理サーバ２０に登録された複数の医薬品についての複数の医薬品情報に基づき、各医薬品毎に各医薬品情報を表示する構成であるため、医療機関としては、各医薬品卸販売企業が単独で開設したウェブサイトを検索した上で順番にアクセスして販売価格等を確認するといった必要がなく利便性に優れる。このため、各医薬品卸販売企業が単独で開設するウェブサイトに比べれば、医療機関から医薬品情報提示用ウェブサイトへのアクセス数が高まることが期待でき、ひいては医薬品卸販売企業にとって新規顧客獲得の機会が高まることを期待できる。
【００３４】
以上のように、本実施形態に係る仲介システム１００によれば、医療機関にとっては、安価な医薬品を簡便に購入できる一方、医薬品卸販売企業にとっては、効率的な医薬品の販売を行うことができると共に新規顧客獲得の機会が高まることを期待できる。
【００３５】
なお、仲介システム１００の好ましい構成として、以下の構成を採用することも可能である。すなわち、まず初めに、管理サーバ２０に、各医療機関毎に当該各医療機関で使用される医薬品についての現在在庫量及び適正在庫量を更新可能に登録する。斯かる現在在庫量及び適正在庫量の登録は、例えば、管理サーバ２０が医薬品在庫量管理用ウェブサイトを提供するように構成し、各医療機関が具備するクライアントコンピュータ１０から前記医薬品在庫量管理用ウェブサイトにアクセスして、在庫量管理を所望する医薬品並びにその現在在庫量及び適正在庫量を入力する方法を採用することが可能である。なお、適正在庫量としては、医薬品の実数量又は重量で登録する方法を採用できる他、予め定めた所定の基準在庫量に対する割合（例えば３０％）で登録する方法を採用してもよい。
【００３６】
管理サーバ２０は、所定の医療機関が具備するクライアントコンピュータ１０から所定の医薬品についての使用量が入力された場合、前記医療機関における前記医薬品について登録されている現在在庫量から前記使用量を減算して新たな現在在庫量として更新登録する。次に、前記更新登録された現在在庫量が前記医療機関における前記医薬品について登録されている適正在庫量よりも少なくなった場合、クライアントコンピュータ１０に対して、前記医薬品情報提示用ウェブサイトにおける前記医薬品についての複数の医薬品情報を表示する。すなわち、現在在庫量が適正在庫量よりも少なくなった医薬品についての医薬品情報ページを表示するように構成されている。より具体的には、例えば、クライアントコンピュータ１０から管理サーバ２０が提供する医薬品情報提示用ウェブサイトにアクセスがあった場合、現在在庫量が適正在庫量よりも少なくなった医薬品についての医薬品情報ページを強制的に表示するように、予め管理サーバ２０の動作をプログラミングしておく態様を例示することができる。
【００３７】
そして、クライアントコンピュータ１０によって選択された医薬品情報に含まれるＵＲＬに対応する医薬品購入用ウェブサイトにおいて前記医薬品の購入手続が実行された場合、管理サーバ２０は、前記医薬品の購入量を前記医薬品購入用ウェブサイトから受信（決済サーバ３０から受信）し、前記医療機関における前記医薬品について登録されている現在在庫量に前記購入量を加算して新たな現在在庫量として更新登録する。
【００３８】
以上に説明した好ましい構成によれば、各医療機関で使用される医薬品についての現在在庫量及び適正在庫量が管理サーバ２０によって管理され、所定の医薬品についての現在在庫量が適正在庫量よりも少なくなった場合には、医薬品情報提示用ウェブサイトにおける前記医薬品についての複数の医薬品情報を表示して（該当する医薬品についての医薬品情報表示ページを表示して）新たな購入を促すことになる。従って、医療機関にとっては、医薬品の在庫切れを未然に防止することができる一方、医薬品卸販売企業にとっては、医薬品の販売を効果的に促進することができるという利点を有する。
【００３９】
また、仲介システム１００の好ましい構成として、以下の構成を採用することも可能である。すなわち、まず初めに、管理サーバ２０に、前記医薬品情報が登録された各医薬品を製造する各製薬企業が具備するクライアントコンピュータが電気通信回線を介して接続される。そして、前記医薬品情報提示用ウェブサイトには、前記各医薬品毎に当該各医薬品についてＭＲのアドバイスを申し込むための申し込みページ（以下、適宜「ＭＲ申し込みページ」と略称する）が設けられる。具体的には、図２（ｂ）に示す医薬品情報表示ページの所定箇所に各医薬品に対応した釦（図示せず）が設けられ、所定の釦をクリックすることにより、対応する医薬品についてＭＲ申し込みページが表示されるように構成されている。
【００４０】
図３は、医薬品情報提示用ウェブサイトに設けられたＭＲのアドバイス申し込みページの一例を模式的に示す図である。図３に示すように、本実施形態に係るＭＲ申し込みページには、電子メールでのＭＲのアドバイスを申し込む欄（図３に示す「メールＭＲ」の欄）、電話でのＭＲのアドバイスを申し込む欄（図３に示す「ＴＥＬ  ＭＲ」の欄）及び医療機関にＭＲが訪問してのアドバイスを申し込む欄（図３に示す「訪問ＭＲ」の欄）が設けられている。医療機関が電子メールでのＭＲのアドバイスを所望する場合には、前記「メールＭＲ」の欄に医療機関の電子メールアドレス等を入力する。また、電話でのＭＲのアドバイス所望する場合には、前記「ＴＥＬ  ＭＲ」の欄に医療機関の電話番号や電話を掛ける希望時間帯等を入力する。さらに、医療機関にＭＲが訪問してのアドバイスを所望する場合には、前記「訪問ＭＲ」の欄に医療機関の所在地、名称、訪問希望日時等を入力する。そして、各項目を入力し終えた後、所定の釦（図示せず）をクリックすることにより、管理サーバ２０は、ＭＲのアドバイスが申し込まれた旨（及び前記入力した項目）を記載した電子メール等を、前記申し込まれた医薬品を製造する製薬企業が具備するクライアントコンピュータに送信する。
【００４１】
以上に説明した好ましい構成によれば、ＭＲのアドバイスを申し込まれた（アドバイスが申し込まれた旨をクライアントコンピュータで受信した）製薬企業としては、申し込みを行った医療機関に対して自社のＭＲにアドバイスさせることが可能である。これにより、医療機関にとっては、所定の医薬品について購入手続を実行する前に、ＭＲからのアドバイスを受けて当該医薬品についての詳細な情報を入手し、購入可否の判断材料とすることが可能であると共に、医薬品卸販売企業にとっては、医薬品販売に際しての付加価値が得られるという利点を有する。
【００４２】
なお、ＭＲによるアドバイスの質を維持・向上させるには、ＭＲの対応又はＭＲのアドバイスを申し込まれた製薬企業の対応の良否に応じて、当該製薬企業に対して所定のインセンティブ（例えば、対応が良好であった製薬企業に対して、医薬品情報提示用ウェブサイトにおける広告スペースを提供する等）を付与することが望ましい。前記ＭＲの対応等の良否は、例えば、電子メールでのＭＲのアドバイスの場合、ＭＲからのアドバイスを記載した電子メールが管理サーバ２０を経由して医療機関の電子メールアドレルに送信されるように構成し、管理サーバ２０がＭＲのアドバイスが申し込まれた旨を記載した電子メールを製薬企業の具備するクライアントコンピュータに送信してから前記ＭＲのアドバイスを記載した電子メールを受信するまでの時間が予め定めた所定時間内（例えば２４時間以内等）に入っていれば、対応が良好であったと判断する方法を採用することが可能である。また、電話や訪問でのＭＲのアドバイスの場合、医療機関に対してＭＲのアドバイスに関するアンケートを実施し、そのアンケートの結果に応じて、ＭＲの対応等の良否を判断する方法を採用することが可能である。
【図面の簡単な説明】
【００４３】
【図１】図１は、本発明の一実施形態に係る医薬品販売仲介システムの概略構成を示すブロック図である。
【図２】図２は、図１に示す管理サーバが提供する医薬品情報提示用ウェブサイトの表示画面の一例を模式的に示す図であり、図２（ａ）はトップページの例を、図２（ｂ）は所定の医薬品について医薬品情報をソートして表示する医薬品情報表示ページの例を示す。
【図３】図３は、図１に示す管理サーバが提供する医薬品情報提示用ウェブサイトに設けられたＭＲのアドバイス申し込みページの一例を模式的に示す図である。
【符号の説明】
【００４４】
１０・・・クライアントコンピュータ
２０・・・管理サーバ
３０・・・決済サーバ
１００・・・医薬品販売仲介システム
Ｎ・・・電気通信回線
【図１】
2006318415.tif 000003
【図２】
2006318415.tif 000004
【図３】
2006318415.tif 000005